(57)【特許請求の範囲】
【請求項１】
ガス通路を形成するコック本体と、前記通路の開閉と調節を司るスライド閉止と、前記スライド閉止のスライドに連動する操作軸と、前記操作軸を任意の位置にて保持し得る調節手段と、前記操作軸と直結または連動し押し込み操作によりガスの開閉を行うボタンと、前記ボタンと同軸上で前記ボタンより外側に回動面を有し前記調節手段にトルクを伝達する歯車機構を設けた回転つまみとを備え、ガスの閉状態では、ボタンと回転つまみはほぼ同一面に保持すると共に回転つまみは押し込みができないように構成し、ガスの閉状態から前記ボタンを押し込みロック状態を解除したとき、前記ボタンと回転つまみとが一体で飛び出しガスが開状態となるように構成するとともに、使用開始時には前記調節手段が調節範囲の所定の位置で保持されるように構成し、ガスの開状態では前記ボタンが前記回転つまみよりも更に飛び出すように構成したガスコックの操作装置。
【発明の詳細な説明】
【０００１】
【発明の属する技術分野】
本発明はガスコンロ等ガス器具のガスバーナーへのガス供給と点火および消火を司るガスコックおよびその操作装置に関するものである。
【０００２】
【従来の技術】
図７に従来例のガスコックの構造を示す。図７においてガス通路の開閉を司る開閉弁５１は操作軸５２の押し込み操作により開閉し、ガス流量の調節を司る調節弁５３はレバー５４を操作することにより上下に変位し、コック本体５５とで形成する隙間の面積を変化させるように構成してある。
【０００３】
また図８に記載したガスコックは、直方体状のスライド閉子５６を用いたもので、操作軸５７の押し込み操作により、ガス通路５８が開閉し、操作軸５７の回転操作によりスライド閉子５６が微動し、オリフィス５９に設けられた小孔群を開閉し、ガス量を調節するように構成してある。
【０００４】
【発明が解決しようとする課題】
しかしながら従来の図７に示すガスコックでは、点火時の火力は最大火力になるか、もしくは消火時前の小火力となる構成で、大バーナーで使用する場合、点火時の火力が大きすぎであったり、あるいは火力が小さすぎて着火しにくかったりする問題があった。
【０００５】
また、ガス通路の開閉弁５１とガス流量の調節弁５３が別々の構成であり、かつこれらを動かす手段である操作軸５２やレバー５３も別々であるため、広い取付スペースと広い操作部を要するという問題もあった。
【０００６】
また図８に示すガスコックは、ガス通路５８の開閉とガス量調節が１つのつまみで操作するように構成されているが、その構造が複雑で高価なものになると共に、誤使用による不用意な接触で点火するなど、安全性に関する問題があった。
【０００７】
本発明では、任意の火力で消火した場合でも、次に点火するときは所定の火力で確実に、なおかつ安全に点火させることのできるガスコックを提供することを目的とし、前記する従来例の問題点を解消することを課題とするものである。
【０００８】
【課題を解決するための手段】
上記目的を達成するために本発明は、ガス通路の開閉と調節とを司るスライド閉止と、これに連動する操作軸と、前記操作軸の変位量を規制する調節手段と、前記操作軸と直結または連動し押し込み操作によりガスの開閉を行うボタンと、前記ボタンと同軸上で前記ボタンより外側に回動面を有し前記調節手段にトルクを伝達する歯車機構を設けた回転つまみとを備え、ガスの閉状態では、ボタンと回転つまみはほぼ同一面に保持すると共に回転つまみは押し込みができないように構成し、ガスの閉状態から前記ボタンを押し込みロック状態を解除したとき、前記ボタンと回転つまみとが一体で飛び出しガスが開状態となるように構成するとともに、消火操作時あるいは点火操作時に調節手段が所定の位置で保持されるように構成し、ガスの開状態では前記ボタンが前記回転つまみよりも更に飛び出すように構成したものである。
【０００９】
上記構成により、前回の使用において任意の火力状態で消火した場合でも、次回の点火時では安全でかつ着火に確実な所定の火力とすることができ、また、操作部もコンパクトになり狭いスペースに装着することができ、さらに、使い易く使用状態も明確にすることができる。
【００１０】
【発明の実施の形態】
本発明は請求項１に記載のように、ガス通路を形成するコック本体と、前記通路の開閉と調節を司るスライド閉止と、前記スライド閉止のスライドに連動する操作軸と、前記操作軸を任意の位置にて保持し得る調節手段と、前記操作軸と直結または連動し押し込み操作によりガスの開閉を行うボタンと、前記ボタンと同軸上で前記ボタンより外側に回動面を有し前記調節手段にトルクを伝達する歯車機構を設けた回転つまみとを備え、ガスの閉状態では、ボタンと回転つまみはほぼ同一面に保持すると共に回転つまみは押し込みができないように構成し、ガスの閉状態から前記ボタンを押し込みロック状態を解除したとき、前記ボタンと回転つまみとが一体で飛び出しガスが開状態となるように構成するとともに、使用開始時には前記調節手段が調節範囲の所定の位置で保持されるように構成し、ガスの開状態では前記ボタンが前記回転つまみよりも更に飛び出すように構成したものであり、点火時の火力は確実に着火しかつ安全な所定のレベルに設定することができ、また、操作部もコンパクトになり狭いスペースに装着することができ、さらに、使い易く使用状態も明確にすることができる。
【００１３】
また、ガスの閉状態では、ボタンと回転つまみはほぼ同一面に保持すると共に回転つまみは押し込みができないように構成し、ガスの開状態では前記ボタンが前記回転つまみよりも更に飛び出すように構成しているため、点火操作は中央のボタンだけを指などで押し、消火時は手のひらなどで容易にボタンを押すことができる。
【００１５】
以下、本発明の実施例について、図面を用いて説明する。
（実施例１）
図１は本発明の実施例１におけるガスコックの断面図である。また図２は火力調節レバーの作用を示した説明図である。
【００１６】
図１において、蓋部を含むコック本体１内には入り口より順にガス通路２ａが、２ｂ、２ｃが形成され、スライド閉子３はオリフィス４を介してバネＡ５に付勢され、シャフト６を介して操作軸７を押すことにより軸方向にスライドし、ガス通路２ｃの開閉を司り、また弁８はバネＢ９に付勢されて装着され、シャフト６、スライド閉子３およびロッド１０を介して操作軸７を押すことにより、ガス通路２ｂを開閉するように構成されている。
【００１７】
また、操作軸７はロック機構（図示せず）により図２（ａ）で示すように消火位置で保持されており、点火時に押し込んでロックを解除するとシャフト６と連動して所定位置まで飛び出し、消火時に押し込むと元の位置でロックがかかる。
【００１８】
シャフト６はバネＤ１１に付勢され、消火状態および押し込み操作時には操作軸７に動作が規制され、点火状態ではピン１２を介してレバー１３により軸方向の変位が規制される。
【００１９】
レバー１３はネジ１４を支点として回転し、ガス通路２ｃの開時にカム機構によりシャフト６およびシャフト６に装着されたピン１２を介してスライド閉子３を軸方向にスライドさせ、ガス流量の調節を司る作用を有する。
【００２０】
消火時には操作軸７が押し込まれるとそれに連動してピン１２とシャフト６が押し込まれ、今度は逆にピン１２がレバー１３の溝に沿ってレバー１３を回転させながら初期の位置に戻る。この機構により、使用開始前にはレバー１３は常に所定の角度で保持され、次の点火時には所定の火力となる。
【００２１】
尚、オリフィス４は平板状で小孔群を有し、バネＡ５によりスライド閉子３に圧接された状態でコック本体１に保持固定される構成である。
【００２２】
また弁８は火炎の熱起電力等を受けて、バネＢ９に抗して電気的に開弁を保持する構成である。
【００２３】
またアーム１５は操作軸７のロック機構を構成するほかに、操作軸７の動きに合わせてスイッチ１６をオン・オフする作用を有する。
【００２４】
（実施例２）
図３は本発明の実施例として火力調節機構に回転つまみを用いた例を示す。
【００２５】
実施例１と異なる点は回転つまみ１７を設け火力調節用のレバー１３と連動させたところである。
【００２６】
回転つまみ１７は操作軸７を回転軸としており、この回転つまみ１７を回転させると回転つまみ１７とレバー１３に形成した歯車によりトルクが伝達されレバー１３が回転し、実施例１と同様にカム機構によりピン１２およびシャフト６を介してスライド閉子３が前後し、ガス流量の調節が行われる。ボタン１８は操作軸７に圧入して装着しており、点火および消火操作を行うものである。
【００２７】
（実施例３）
図４は本発明の実施例としてのガスコックの断面を示す。
【００２８】
実施例２と異なる点は、使用時にはボタン１８と回転つまみ１７を一体で飛び出させた点である。
【００２９】
操作軸７を押し込んだ位置では、スライド閉子３はコック本体１に形成されるガス通路２ｃを閉ざし、操作軸７が飛び出した位置ではガス通路２ｃは開となる。回転つまみ１７は操作軸７が飛び出すときに操作軸７に押されボタン１８と一体で飛び出す構成で、飛び出した位置で回転つまみ１７を回転させ火力調節を行うものである。
【００３０】
消火時には、ボタン１８が押し込まれると操作軸７を介してシャフト６に装着されたピン１２が押し込まれ、カム機構を利用してレバー１３を所定の角度に回転させる。このときレバー１３と連動して回転つまみ１７だけが回転する。
【００３１】
（実施例４）
図５は本発明の実施例として使用時にボタンをつまみより飛び出させた例の要部断面図である。
【００３２】
実施例３と異なる点は消火状態ではボタン１８と回転つまみ１７をほぼ同一面にし、点火状態ではボタン１８が回転つまみ１７よりも更に飛び出すようにしたところである。
【００３３】
回転つまみ１７は消火状態では軸受け板１９に当接して、ボタン１８とほぼ同一面となるように配設したもので、点火操作時は中央のボタン１８のみ押し込み可能で、不用意に体などが当たって点火するのを防止する作用がある。
【００３４】
また、点火操作後ロックを解除してボタン１８を飛び出させたときには回転つまみ１７はバネＥ２０に付勢され操作軸７に保持され、回転つまみ１７はボタン１８と段差が生じ、手のひらなどでも容易に消火操作ができるものである。
【００３５】
（実施例５）
図６は本発明の実施例としてのガスコックの操作装置を示すもので、ボタン１８の軸部に回転自在な回転板２１と、軸方向の変位自在なスライドカム２２を装着し、バネＥ２０を双方に係止して回転板２１の回転とスライドカム２２の変位を付勢する構成で、相対する爪部のカム形状により、スライドカム２３の変位に応じて回転板２１が回転する。
【００３６】
回転板２１の表面には２色で回転量に対応した放射状の縞模様を形成し、またこの回転量に対応してボタン１８には回転板２１を覗く窓部２３を設けてあり、ボタン１８の押し込み操作により窓部２３より見える回転板２１の色が変化するという作用を有するものである。
【００３７】
【発明の効果】
以上のように本発明によれば、次のような有利な効果が得られる。
【００３８】
（１）請求項１記載のガスコックにおいては、使用時に任意の火力で消火した場合でも、次に点火するときは所定の火力で確実に、かつ安全に着火させることができる。
【００３９】
（２）また、点火ボタンと火力調節用回転つまみを同軸上に設けることにより、操作部をコンパクトにできると共に安価で使い易いという利点もある。
【００４０】
（３）また、点火用ボタンと火力調節用回転つまみが使用時に飛び出るため、さらに使い易くなると共に使用状態が一目瞭然にわかり安全性においても有利である。
【００４１】
（４）また、点火操作時には点火ボタンだけを押し込み、消火操作時には回転つまみよりも飛び出ているボタンを押すようにしたもので、不用意に体が当たる誤使用があっても点火することがなく安全性においても一層有利となる。
【図面の簡単な説明】
【図１】本発明の実施例１におけるガスコックを示す要部断面図
【図２】（ａ）同ガスコックの火力調節レバーの消火状態を示す図
（ｂ）同ガスコックの火力調節レバーの点火状態を示す図
【図３】本発明の実施例２におけるガスコックの要部斜視図
【図４】 本発明の実施例３におけるガスコックを示す断面図
【図５】（ａ）本発明の実施例４におけるガスコックの操作装置の消火状態の断面図
（ｂ）同ガスコックの操作装置の点火状態の断面図
【図６】（ａ）本発明の実施例５におけるガスコックの操作装置の断面図
（ｂ）同ガスコックの操作装置の正面図
【図７】従来例のガスコックを示す断面図
【図８】他の従来例のガスコックを示す断面図
【符号の説明】
１  コック本体
２ａ、２ｂ、２ｃ  ガス通路
３  スライド閉子
４  オリフィス
６  シャフト
７  操作軸
１２  ピン
１３  レバー
１７  回転つまみ
１８  ボタン
１９  軸受け板
２０  バネＥ
２１  回転板
２２  スライドカム
２３  窓部
【図１】
0003831976.tif 000002
【図２】
0003831976.tif 000003
【図３】
0003831976.tif 000004
【図４】
0003831976.tif 000005
【図５】
0003831976.tif 000006
【図６】
0003831976.tif 000007
【図７】
0003831976.tif 000008
【図８】
0003831976.tif 000009